(57)【要約】【課題】室内の人間が自由に収納物品を出し入れできるとともにラック内の清浄化を保ち防塵を図ったクリーンラックを提供する。【解決手段】ラック本体９に着脱可能に設けられた棚板７と、ラック本体９の収納部に送風するファン３と、フィルタ４とを有し、前記ラック本体９の背板は前記フィルタ４を通したファンからの清浄空気を吹出すための多孔板８からなり、該多孔板８の背面に前記ファン３から送風された空気が流入するダクト６を有し、前記収納部の前面は室内に向けて開放されていることを特徴とするクリーンラック１を提供する。【選択図】        図１
2004283506.tif 000002
【特許請求の範囲】
【請求項１】
ラック本体に着脱可能に設けられた棚板と、
ラック本体の収納部に送風するファンと、
フィルタとを有し、
前記ラック本体の背板は前記フィルタを通したファンからの清浄空気を吹出すための多孔板からなり、
該多孔板の背面に前記ファンから送風された空気が流入するダクトを有し、
前記収納部の前面は室内に向けて開放されていることを特徴とするクリーンラック。
【請求項２】
前記ラック本体は設置する部屋の壁面に埋め込み式であることを特徴とする請求項１に記載のクリーンラック。
【請求項３】
前記ラック本体は手術室に設置されることを特徴とする請求項１または２に記載のクリーンラック。
【発明の詳細な説明】
【０００１】
【発明の属する技術分野】
本発明は、医療施設、特に手術室に設置する薬品や医療器具等を清浄に収納するクリーンラックに関するものである。
【０００２】
【従来の技術】
従来手術室で使用される薬品や医療器具等を収納するラックは防塵のために引き違いの扉が設けられていた。しかし、手術中に薬品等の収納の度にこの扉を開け閉めすることは面倒であり、使用性が悪かった。この場合、単に扉をなくして薬品等の出し入れを容易にしようとすれば、ラック内に埃が溜まり、薬品や医療器具等の清潔な状態を保つことができなくなる。
【０００３】
一方、棚の前面と後面を開放して後面からクリーンエアを供給する医療用荷保管設備が提案されている（例えば特許文献１）。しかしながらこの特許文献１に記載の荷保管設備は密閉された箱状の本体内でクリーンエアを循環させるものであり、収納された物品は棚前面の走行用レールに沿って移動する昇降体により出し入れされる。従って、棚前面を室内に開放することはできず、人が直接棚の物品を取り出すことはできない。従って、このような医療用設備を手術室に設置して手術中に使用することはできない。
【０００４】
【特許文献１】
特開平７−４１１０８
【０００５】
【発明が解決しようとする課題】
本発明は上記従来技術を考慮したものであって、室内の人間が自由に収納物品を出し入れできるとともにラック内の清浄化を保ち防塵を図ったクリーンラックの提供を目的とする。
【０００６】
【課題を解決するための手段】
前記目的を達成するため、本発明では、ラック本体に着脱可能に設けられた棚板と、ラック本体の収納部に送風するファンと、フィルタとを有し、前記ラック本体の背板は前記フィルタを通したファンからの清浄空気を吹出すための多孔板からなり、該多孔板の背面に前記ファンから送風された空気が流入するダクトを有し、前記収納部の前面は室内に向けて開放されていることを特徴とするクリーンラックを提供する。
【０００７】
この構成によれば、棚の背面に備わる多孔板からフィルタを通過した清浄な空気が吹き出て各棚内に塵埃が溜まることを防ぐことができるとともに、棚の収納部の前面が室内に向けて開放されているため、室内の人間が直接収納した物の出し入れを容易にでき、使用性が向上する。
【０００８】
好ましい構成例においては、前記ラック本体は設置する部屋の壁面に埋め込み式であることを特徴としている。
【０００９】
この構成によれば、壁面に埋め込むことにより、ラックが部屋内に突出することがなくなるので、室内床面積を広く有効に利用でき更に使用性が高まる。また、ファンを隣の部屋のクリーンラックと共用することができる。
【００１０】
好ましい構成例においては、前記ラック本体は手術室に設置されることを特徴としている。
【００１１】
この構成によれば、手術室に備える薬品や医療器具等を常に清潔に保つことができる。また、手術中に薬品や医療器具等を容易に取り出すことができるため、緊急時の対処が迅速にでき、手術の信頼性を高めることができる。
【００１２】
【発明の実施の形態】
図１は本発明に係るクリーンラックの概略図であり、図２は本発明に係るクリーンラックの空気の流路を示す概略図である。
【００１３】
本発明に係るクリーンラック１は手術室等の医療施設の壁面２に埋め込まれて使用される。手術室は通常二重壁構造になっており、例えば電気を供給する電源盤の役割をするアイソレーションユニット、Ｘ線等の写真を見るためのシャーカステン、生理食塩水や薬液等を一定温度で保温、保冷して保管する保温・保冷庫等の医療器具は施術者が行動しやすいように、また床面積を広く有効に使用できるように全て壁面に埋め込み式となっている。
【００１４】
クリーンラック１は、ラック本体９と、背板を構成する多孔板８と、ラック本体９に着脱可能に設けた複数の棚板７と、ラック本体９の下部に設けたファン３とフィルタ４からなるファンユニット５とにより構成される。クリーンラック１の後側にはファン３からの送風の流路であるダクト６が形成される。このダクト６はラック背面全体に設けた清浄空気供給チャンバとして機能する。クリーンラック１の収納部である棚部分に棚板７が配設され（図では２枚）、その背板は全面にわたって孔を有するパンチングメタル等の多孔板８で形成される。また、棚部分の前面は扉等を有さず、室内に向けて開放しており、室内の人間が自由に収納物品を直接出し入れできる。このため、扉等を開ける手間を省くことができるので、特に手術室に用いることにより、手術の際に使用する薬品や医療器具等の出し入れが容易となり、作業性が向上する。ファン３は空気の吸入口３ａ及び吐出口３ｂを有し、フィルタ４は例えばＨＥＰＡフィルタである。
【００１５】
室内の空気はファン３の吸入口３ａより吸入され、吐出口３ｂより吹出された空気はフィルタ４を通過して清浄な空気となる。この空気はダクト６を通って多孔板８の孔から棚部分の前面に向かって吹出す。このとき、多孔板８の孔はラックの棚部分背面全体にわたって設けられているので、物品収納部全体に清浄空気が吹出される。したがって、各棚板７上に塵埃が溜まることがなくなり、収納された物を常に清潔に保つことができる。なお、多孔板８全面から均等に清浄空気が吹出されるように、孔の径を適宜変えたり、又は適当な位置に風量調整手段を設けて、均一な風量が得られるようにしてもよい。
【００１６】
棚板７はラック本体９に対し着脱可能であって、収納する物品、用途に応じて配設する枚数を変更可能であり、また、幅の異なる棚板と交換して多孔板８からの突出長さも変更可能である。
【００１７】
ファンユニット５はクリーンラック１の上部に備えてもよい。このとき、ラック本体９の下側の収納部を手術中に使用する器材を乗せたワゴン等を一時的に収納する蹴込収納庫として使用することもできる。また、ファンユニット５はラック本体９から離れた位置に設置してもよい。この際、フィルタ４はラック本体９に備え、ファン３のみを離れた場所に設置してもよい。また、ファンユニット５は手術室内の清浄度を保つために設けられたもの（例えば部屋の天井等に設けられたファンユニット）を用いてもよい。
【００１８】
図３は別の本発明に係るクリーンラックの概略図である。
図示したように、本実施例のクリーンラック１はフィルタ４を多孔板８の背面に設けたものである。このようにしてもファン３から送風された空気はフィルタ４を通って各棚に吹出すので、清浄な空気を各棚全体にわたって供給することができる。その他の作用効果は図１及び２と同様である。
【００１９】
図４は２つのクリーンラックがファンを共有するときの概略図である。
図示したように、例えば隣り合う部屋Ａ，Ｂに本発明に係るクリーンラック１を壁面に埋め込んで使用する際、ファン３あるいはファンユニットを２つのクリーンラック１に対して共有して使用することができる。これにより、ファン３の台数を減少してコンパクトな構成を図るとともにファンを効率よく稼動することができる。
【００２０】
図５は本発明に係るクリーンラックが使用される手術室の床見下げ図であり、図６は図５のＣ壁、Ｄ壁の裏から見た概略図、図７は図５のＥＦ側から見た概略図、図８は図５のＥ壁の平面図である。なお、図５の見下げ図は、各壁面の輪郭のみを見下げ形状で描き、壁面に埋め込み配置された部材や設備品は通常の平面視形状で描いてある。
【００２１】
図示したように、手術室には例えば電気を供給する電源盤の役割をするアイソレーションユニットａ、様々なコンセントを備えたコンセントユニットｂ、Ｘ線等の写真を見るためのシャーカステンｃ、手術室内の記録及び外部との連絡等に必要な機器やスイッチ類を備えた情報パネルｄ及び記録台ｅ、生理食塩水や薬液等を一定温度で保温、保冷して保管する保温・保冷庫ｈ、手術室への出入りのための自動ドアｉ、手術室内の清浄度を落とさないで隣の部屋と薬品等の受け渡しができるパスボックスｊ、手術室の清浄度を保つためのダクト吸入口ｋ、現在時刻、麻酔時間、手術時間等を表示するオペタイマーｐ、手術台ｍ、手術状況等の様々な情報を表示する情報パネルｎ等を用意する。これらの医療設備は施術者の使用性、床面積の有効利用性を考慮して全て壁面に埋め込んで各壁Ｃ，Ｄ，Ｅ，Ｆの隣の部屋の壁（不図示）との間の空間に設置される。
【００２２】
本発明に係るクリーンラック１はこのような手術室に設置される。その使用目的は、使用される医療器具、薬品、診療材料、滅菌物等の保管・整理に使用するものである。
【００２３】
【発明の効果】
以上説明したように、本発明では、棚の背面に備わる多孔板からフィルタを通過した清浄な空気が吹き出て各棚内に塵埃が溜まることを防ぐことができるとともに、棚の収納部の前面が開放されているため、収納した物の出し入れが容易となり、使用性が向上する。
【００２４】
また、クリーンラックを壁面に埋め込むことにより、棚が部屋内に突出することがなくなるので、更に使用性が高まり、ファンユニットを隣の部屋のクリーンラックと共用することができる。
【００２５】
また、手術室に用いる薬品や医療器具等を常に清潔に保つことができる。
【図面の簡単な説明】
【図１】本発明に係るクリーンラックの概略図。
【図２】本発明に係るクリーンラックの空気の流路を示す概略図。
【図３】別の本発明に係るクリーンラックの概略図。
【図４】２つのクリーンラックがファンを共有するときの概略図。
【図５】本発明に係るクリーンラックが使用される手術室の床見下げ図。
【図６】図５のＣ壁、Ｄ壁の裏から見た概略図。
【図７】図５のＥ壁、Ｆ壁の裏から見た概略図。
【図８】図５のＥ壁の平面図。
【符号の説明】
１：クリーンラック、２：壁面、３：ファン、３ａ：吸入口、３ｂ：吐出口、
４：フィルタ、５：ファンユニット、６：ダクト、７：棚板、８：多孔板、
９：ラック本体。
【図１】
2004283506.tif 000003
【図２】
2004283506.tif 000004
【図３】
2004283506.tif 000005
【図４】
2004283506.tif 000006
【図５】
2004283506.tif 000007
【図６】
2004283506.tif 000008
【図７】
2004283506.tif 000009
【図８】
2004283506.tif 000010